【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
磁石及び熱発生要素を含む磁気共鳴（ＭＲ）撮像装置と、
前記ＭＲ撮像装置の前記熱発生要素を、冷却水を用いて冷却するように接続された冷却系と、
各々が、前記ＭＲ撮像装置の前記熱発生要素の熱的パラメータ又は前記冷却系の熱的パラメータを測定する１以上のセンサと、
ＭＲ撮像検査プログラムを実行すると共に該ＭＲ撮像検査プログラムの実行を前記１以上のセンサにより測定された前記冷却系が不十分な冷却能力しか有さないことを示す熱的パラメータに応答して、前記ＭＲ撮像装置をオフすることなく調整するように前記ＭＲ撮像装置を制御するようプログラムされた電子プロセッサを有するＭＲコントローラと、
を有する、ＭＲ撮像機器。
【請求項２】
前記ＭＲ撮像装置の前記熱発生要素は前記磁石を超伝導状態に維持するように接続されたクライオ・コンプレッサを含み、
前記ＭＲコントローラが、前記ＭＲ撮像検査プログラムの実行を、該ＭＲ撮像検査プログラムの実行の間において前記クライオ・コンプレッサを前記１以上のセンサにより測定された前記冷却系が不十分な冷却能力しか有さないことを示す熱的パラメータに応答してオフすることにより調整するようプログラムされる、
請求項１に記載のＭＲ撮像機器。
【請求項３】
前記ＭＲコントローラが、前記ＭＲ撮像検査プログラムの実行を、該ＭＲ撮像検査プログラムのＭＲスキャンの実行中に又は該ＭＲ撮像検査プログラムの連続するＭＲスキャンの実行の間に、前記１以上のセンサにより測定された前記冷却系が不十分な冷却能力しか有さないことを示す熱的パラメータに応答して中断を挿入することにより調整するようプログラムされる、請求項１に記載のＭＲ撮像機器。
【請求項４】
前記ＭＲコントローラは前記冷却系が不十分な冷却能力しか有さないかを熱モデルを用いて判定するようプログラムされ、
前記熱モデルが、
勾配磁場増幅器及び勾配磁場コイルの熱出力を前記ＭＲ撮像検査プログラムの勾配磁場コイル駆動電流及び該勾配磁場コイル駆動電流の主要周波数に基づいて計算する勾配磁場チェーン熱出力要素と、
ラジオ波（ＲＦ）増幅器の熱出力を前記ＭＲ撮像検査プログラムの間において該ＲＦ増幅器により供給される平均及びピークＲＦ電力に基づいて計算するＲＦ増幅器熱出力要素と、
を有する、請求項１に記載のＭＲ撮像機器。
【請求項５】
前記ＭＲコントローラが、前記ＭＲ撮像検査プログラムの実行を、該ＭＲ撮像検査プログラムのＭＲスキャンのＭＲスキャンパラメータを前記１以上のセンサにより測定された前記冷却系が不十分な冷却能力しか有さないことを示す熱的パラメータに応答して調整することにより調整するようプログラムされる、請求項１に記載のＭＲ撮像機器。
【請求項６】
前記ＭＲコントローラが、前記ＭＲ撮像検査プログラムの実行を、前記冷却系が不十分な冷却能力しか有さないことを示す熱的パラメータに応答して（ｉ）前記ＭＲ撮像検査プログラムのＭＲスキャンの実行を跳ばすこと、又は（ii）前記ＭＲ撮像検査プログラムのＭＲスキャンを並び替えることの一方又は両方により調整するようプログラムされる、請求項１に記載のＭＲ撮像機器。
【請求項７】
前記ＭＲ撮像装置の前記熱発生要素は勾配磁場増幅器、勾配磁場コイル及びラジオ波（ＲＦ）増幅器のうちの１以上を含み、前記１以上のセンサが、前記熱発生要素の温度を測定する温度センサ又は前記熱発生要素に流入する冷却剤入力ライン及び前記熱発生要素から流出する冷却剤戻りラインのうちの一方又は両方の温度を測定する温度センサを含む、請求項１に記載のＭＲ撮像機器。
【請求項８】
ディスプレイを更に有し、
前記熱発生要素は、
勾配磁場増幅器及び該勾配磁場増幅器により駆動される勾配磁場コイルを含む勾配磁場チェーンと、
ラジオ波（ＲＦ）コイルを駆動するように接続されたＲＦ増幅器と、
を有し、
前記ＭＲコントローラが、更に、前記ＭＲ撮像検査プログラムの実行の間にわたる熱放散を、前記ＭＲ撮像検査プログラムの実行の間に供給される勾配磁場電流に関数的に依存する勾配磁場チェーン熱出力要素と、前記ＭＲ撮像検査プログラムの実行の間に供給される平均及びピークＲＦ電力に関数的に依存するＲＦ増幅器熱出力要素とを含む熱モデルを用いて推定するようプログラムされる、請求項１に記載のＭＲ撮像機器。
【請求項９】
前記冷却系が、
自身に流れる冷却剤を用いて前記ＭＲ撮像装置の少なくとも１つの熱発生要素を冷却する冷却剤回路と、
前記冷却剤から前記冷却水に熱を移転させるために前記冷却剤回路に接続された熱交換器と、
を含み、
前記１以上のセンサが、前記冷却剤回路における測定点において前記冷却剤の温度を測定する温度センサを含む、請求項１に記載のＭＲ撮像機器。
【請求項１０】
前記冷却系が、
自身に流れる冷却剤を用いて前記ＭＲ撮像装置の少なくとも１つの熱発生要素を冷却する冷却剤回路と、
前記冷却剤から前記冷却水に熱を移転させるために前記冷却剤回路に接続された熱交換器と、
を含み、
前記冷却剤回路は、前記熱交換器からの冷却剤を該冷却剤回路の戻りラインからの冷却剤と混合して、混合された冷却剤を設定値温度で出力する混合弁を含み、
前記１以上のセンサが、前記冷却剤回路における前記混合弁の弁設定値を出力するセンサを有する、請求項１に記載のＭＲ撮像機器。
【請求項１１】
気温センサを更に有し、
前記ＭＲコントローラは、前記１以上のセンサにより測定された前記熱的パラメータが、前記冷却系が不十分な冷却能力しか有さないことを示すかを、更に前記気温センサにより測定された気温に基づいて判定するようプログラムされる、請求項１に記載のＭＲ撮像機器。
【請求項１２】
気温センサを更に有し、
前記ＭＲコントローラは、更に、前記ＭＲ撮像検査プログラムを実行の前に分析して、
前記ＭＲ撮像検査プログラムを実行することにより発生される熱負荷を推定すると共に、
前記冷却系が前記気温センサにより測定された気温において前記推定された熱負荷を冷却するには不十分な冷却能力しか有さない場合に、前記ＭＲ撮像検査プログラムを実行前に調整する、
ようにプログラムされる、請求項１に記載のＭＲ撮像機器。
【請求項１３】
前記ＭＲ撮像検査プログラムの実行前の調整が、該ＭＲ撮像検査プログラムの連続するＭＲスキャンの間に中断を挿入する；該ＭＲ撮像検査プログラムのＭＲスキャン中に中断を挿入する；該ＭＲ撮像検査プログラムのＭＲスキャンを並べ替える；及び該ＭＲ撮像検査プログラムのＭＲスキャンのスキャンパラメータを修正することのうちの１以上を含む、請求項１２に記載のＭＲ撮像機器。
【請求項１４】
磁石及び熱発生要素を含む磁気共鳴（ＭＲ）撮像装置と、
前記ＭＲ撮像装置の前記熱発生要素を、冷却水を用いて冷却するように接続された冷却系であって、自身に流れる冷却剤を用いて前記ＭＲ撮像装置の少なくとも１つの熱発生要素を冷却する少なくとも１つの冷却剤回路を含む、冷却系と、
ＭＲ撮像検査プログラムを実行すると共に、該ＭＲ撮像検査プログラムを実行前に分析して、
前記ＭＲ撮像検査プログラムを実行することにより発生される熱負荷を推定し、且つ、
前記冷却系が該推定された熱負荷を冷却するには不十分な冷却能力しか有さない場合は、前記ＭＲ撮像装置をオフすることなく前記ＭＲ撮像検査プログラムを実行前に調整する、
ように前記ＭＲ撮像装置を制御するようプログラムされた電子プロセッサを有するＭＲコントローラと、
を有する、ＭＲ撮像機器。
【請求項１５】
気温センサを更に有し、
前記ＭＲコントローラが、前記冷却系が前記気温センサにより測定された気温において前記推定された熱負荷を放散させるには不十分な冷却能力しか有さない場合に、前記ＭＲ撮像検査プログラムを実行前に調整するようにプログラムされる、請求項１４に記載のＭＲ撮像機器。
【請求項１６】
前記ＭＲ撮像検査プログラムの実行前の調整が、該ＭＲ撮像検査プログラムの連続するＭＲスキャンの間に中断を挿入する；該ＭＲ撮像検査プログラムのＭＲスキャン中に中断を挿入する；該ＭＲ撮像検査プログラムのＭＲスキャンを並べ替える；及び該ＭＲ撮像検査プログラムのＭＲスキャンのスキャンパラメータを修正することのうちの１以上を含む、請求項１４に記載のＭＲ撮像機器。
【請求項１７】
各々が前記ＭＲ撮像装置の前記熱発生要素の熱的パラメータ又は前記冷却系の熱的パラメータを測定する１以上のセンサを更に有し、
前記ＭＲコントローラが、更に、前記ＭＲ撮像検査プログラムの実行を、前記１以上のセンサにより測定された前記冷却系が不十分な冷却能力しか有さないことを示す熱的パラメータに応答して調整するようにプログラムされる、請求項１４に記載のＭＲ撮像機器。
【請求項１８】
前記ＭＲ撮像装置の前記熱発生要素は前記磁石を超伝導状態に維持するように接続されたクライオ・コンプレッサを含み、
前記ＭＲコントローラが、前記ＭＲ撮像検査プログラムの実行を、該ＭＲ撮像検査プログラムの実行の間において前記クライオ・コンプレッサを前記冷却系が不十分な冷却能力しか有さないことに応答してオフすることにより調整するようプログラムされる、
請求項１４に記載のＭＲ撮像機器。
【請求項１９】
（ｉ）磁石及び熱発生要素を含む磁気共鳴（ＭＲ）撮像装置並びに（ii）冷却水を用いて前記ＭＲ撮像装置の前記熱発生要素を冷却するように接続された冷却系により実行されるＭＲ撮像方法であって、
前記冷却系が、
自身に流れる冷却剤を用いて前記ＭＲ撮像装置の少なくとも１つの熱発生要素を冷却する冷却剤回路と、
前記冷却剤から前記冷却水に熱を移転させるために前記冷却剤回路に接続された熱交換器と、
を含み、
前記冷却剤回路は、前記熱交換器からの冷却剤を該冷却剤回路の戻りラインからの冷却剤と混合して、混合された冷却剤を設定値温度で出力する混合弁を含み、
１以上のセンサが、前記冷却剤回路における前記混合弁の弁設定値を出力するセンサを有し、
前記ＭＲ撮像方法が、
前記ＭＲ撮像装置を用いてＭＲ撮像検査プログラムを実行するステップと、
前記実行するステップの間において、前記ＭＲ撮像装置及び前記冷却系のうちの少なくとも一方の熱的パラメータを監視するステップと、
前記ＭＲ撮像検査プログラムの実行を、前記冷却系が不十分な冷却能力しか有さないことを示す前記監視される熱的パラメータに応答して調整するステップと、
を有する、ＭＲ撮像方法。
【請求項２０】
前記冷却系の冷却能力を少なくとも現在の気温に基づいて判定するステップを更に有する、請求項１９に記載のＭＲ撮像方法。